(57)【要約】【課題】降水を事前に予測して携帯電話端末ユーザに注意を喚起することのできる降水アラーム配信システムおよび降水アラーム配信方法を提供する。【解決手段】携帯電話端末１０は、ＧＰＳ信号を受信すると、天頂全遅延推定値（ＺＴＤ）を算出し、天頂全遅延推定値（ＺＴＤ）が所定値以上となったときに、降水可能性を算出し、降水可能性が所定値以上であった場合に、その降水可能性を降水予測集計サーバ４０へ通知する。降水予測集計サーバ４０は、所定期間に、所定地域において所定数の降水可能性通知を受信した場合に、アラームメールを送信するようメールサーバ５０へ要求する。メールサーバ５０は、降水予測集計サーバ４０からの要求に応じて所定地域に在圏する全携帯電話端末１０にアラームメールを配信する。【選択図】図１
2012028872.tif 000002
【特許請求の範囲】
【請求項１】
ＧＰＳ衛星と、該ＧＰＳ衛星から送信されるＧＰＳ信号を受信する複数の携帯通信端末と、該携帯通信端末から通知される情報を集計する降水予測集計サーバと、該降水予測集計サーバからの要求に応じて前記携帯通信端末にアラームメールを配信するメールサーバを含む降水アラーム配信システムであって、
前記携帯通信端末は、
ＧＰＳ衛星からＧＰＳ信号を受信するＧＰＳ受信部と、
前記ＧＰＳ受信部でＧＰＳ信号を受信する毎に、天頂全遅延推定値を算出し、前記天頂全遅延推定値が所定値以上となったときに可降水量を算出する可降水量算出部と、
前記可降水量から自端末の位置における降水可能性を算出し、算出した降水可能性が所定値以上である場合に、該降水可能性を、自端末の位置情報とともに前記降水予測集計サーバへ通知するする降水可能性算出部と、を備え、
前記降水予測集計サーバは、
所定期間にて、所定地域毎に、前記携帯通信端末からの前記降水可能性の通知の数を集計する降水可能性通知集計部と、
前記降水可能性の通知の数が所定数以上である所定地域に在圏する携帯通信端末へアラームメールを送信するよう、前記メールサーバへ要求するアラームメール要求部と、を備え、
前記メールサーバは、前記降水予測集計サーバからの要求に応じて、前記所定地域に在圏する全携帯通信端末にアラームメールを配信することを特徴とする降水アラーム配信システム。
【請求項２】
前記メールサーバは、前記降水予測集計サーバからの要求に応じて、前記所定地域に在圏する携帯通信端末のうち、前記降水可能性の通知を行った携帯通信端末に前記アラームメールを配信することを特徴とする請求項１に記載の降水アラーム配信システム。
【請求項３】
前記メールサーバは、前記降水予測集計サーバからの要求に応じて、前記所定地域に在圏する携帯通信端末のうち、前記降水可能性が高い携帯通信端末に優先的に前記アラームメールを配信することを特徴とする請求項１に記載の降水アラーム配信システム。
【請求項４】
ＧＰＳ衛星と、該ＧＰＳ衛星から送信されるＧＰＳ信号を受信する複数の携帯通信端末と、該携帯通信端末から通知される情報を集計する降水予測集計サーバと、該降水予測集計サーバからの要求に応じて前記携帯通信端末にアラームメールを配信するメールサーバと、を備えたシステムにおける降水アラーム配信方法であって、
前記携帯通信端末が、前記ＧＰＳ衛星からＧＰＳ信号を受信する毎に、天頂全遅延推定値を算出し、前記天頂全遅延推定値が所定値以上となったときに可降水量を算出する過程と、
前記携帯通信端末が、前記可降水量から自端末の位置における降水可能性を算出し、算出した降水可能性が所定値以上である場合に、該降水可能性を、自端末の位置情報とともに前記降水予測集計サーバへ通知するする過程と、
前記降水予測集計サーバが、所定期間にて、所定地域毎に、前記携帯通信端末からの前記降水可能性の通知の数を集計する過程と、
前記降水予測集計サーバが、前記降水可能性の通知の数が所定数以上である所定地域に在圏する携帯通信端末へアラームメールを送信するよう、前記メールサーバへ要求する過程と、
前記メールサーバが、前記降水予測集計サーバからの要求に応じて、前記所定地域に在圏する全携帯通信端末にアラームメールを配信する過程と、
を有することを特徴とする降水アラーム配信方法。
【発明の詳細な説明】
【技術分野】
【０００１】
本発明は、所定地域における降水を事前に予測して地域内の携帯電話端末ユーザに注意を喚起することのできる降水アラーム配信システムおよび降水アラーム配信方法に関する。
【背景技術】
【０００２】
ＧＰＳ衛星から送信されたＧＰＳ信号を観測して可降水量を算出し、この可降水量を利用して気象状態を予測することが行われている。可降水量とは、地表から大気上端までの単位面積の大気の柱に含まれる水蒸気の総量である。ＧＰＳ衛星から送信されたＧＰＳ信号は、空気中の水蒸気が多いほど大気伝搬遅延を生じる。天頂付近より送信されたＧＰＳ信号の大気遅延量を算出し、これと、地表の気圧および温度の情報を用いてＧＰＳ受信器の地点での可降水量を求めることができる。
【０００３】
この可降水量を利用して、特許文献１には、携帯電話端末からの要求を契機に、端末自身が位置する場所でのＧＰＳ大気遅延現象を用いた降水可能性予測を行い、携帯電話端末に気象データを配信する装置が提案されている。
【先行技術文献】
【特許文献】
【０００４】
【特許文献１】特開２００７−８５７５５号公報
【発明の概要】
【発明が解決しようとする課題】
【０００５】
しかしながら、特許文献１に記載の気象データ配信装置では、携帯電話端末からの能動的な要求を契機に降水予測を行うため、必ずしも降水を事前に予測できないという問題がある。
【０００６】
本発明は、このような問題点に鑑みてなされたものであり、本発明の目的は、降水を事前に予測して、携帯電話端末ユーザに注意を喚起することのできる降水アラーム配信システムおよび降水アラーム配信方法を提供することにある。
【課題を解決するための手段】
【０００７】
上記目的を達成するため、本発明は、ＧＰＳ衛星と、該ＧＰＳ衛星から送信されるＧＰＳ信号を受信する複数の携帯通信端末と、該携帯通信端末から通知される情報を集計する降水予測集計サーバと、該降水予測集計サーバからの要求に応じて前記携帯通信端末にアラームメールを配信するメールサーバを含む降水アラーム配信システムであって、前記携帯通信端末が、ＧＰＳ衛星からＧＰＳ信号を受信するＧＰＳ受信部と、前記ＧＰＳ受信部でＧＰＳ信号を受信する毎に、天頂全遅延推定値を算出し、前記天頂全遅延推定値が所定値以上となったときに可降水量を算出する可降水量算出部と、前記可降水量から自端末の位置における降水可能性を算出し、算出した降水可能性が所定値以上である場合に、該降水可能性を、自端末の位置情報とともに前記降水予測集計サーバへ通知するする降水可能性算出部とを備え、前記降水予測集計サーバが、所定期間にて、所定地域毎に、前記携帯通信端末からの前記降水可能性の通知の数を集計する降水可能性通知集計部と、前記降水可能性の通知の数が所定数以上である所定地域に在圏する携帯通信端末へアラームメールを送信するよう、前記メールサーバへ要求するアラームメール要求部とを備え、前記メールサーバが、前記降水予測集計サーバからの要求に応じて、前記所定地域に在圏する全携帯通信端末にアラームメールを配信することを特徴とする。
【０００８】
前記メールサーバは、前記降水予測集計サーバからの要求に応じて、前記所定地域に在圏する携帯通信端末のうち、前記降水可能性の通知を行った携帯通信端末に前記アラームメールを配信することが好ましい。
また、前記メールサーバは、前記降水予測集計サーバからの要求に応じて、前記所定地域に在圏する携帯通信端末のうち、前記降水可能性が高い携帯通信端末に優先的に前記アラームメールを配信することが好ましい。
【０００９】
また、本発明は、ＧＰＳ衛星と、該ＧＰＳ衛星から送信されるＧＰＳ信号を受信する複数の携帯通信端末と、該携帯通信端末から通知される情報を集計する降水予測集計サーバと、該降水予測集計サーバからの要求に応じて前記携帯通信端末にアラームメールを配信するメールサーバと、を備えたシステムにおける降水アラーム配信方法であって、前記携帯通信端末が、前記ＧＰＳ衛星からＧＰＳ信号を受信する毎に、天頂全遅延推定値を算出し、前記天頂全遅延推定値が所定値以上となったときに可降水量を算出する過程と、前記携帯通信端末が、前記可降水量から自端末の位置における降水可能性を算出し、算出した降水可能性が所定値以上である場合に、該降水可能性を、自端末の位置情報とともに前記降水予測集計サーバへ通知するする過程と、前記降水予測集計サーバが、所定期間にて、所定地域毎に、前記携帯通信端末からの前記降水可能性の通知の数を集計する過程と、前記降水予測集計サーバが、前記降水可能性の通知の数が所定数以上である所定地域に在圏する携帯通信端末へアラームメールを送信するよう、前記メールサーバへ要求する過程と、前記メールサーバが、前記降水予測集計サーバからの要求に応じて、前記所定地域に在圏する全携帯通信端末にアラームメールを配信する過程とを有することを特徴とする。
【発明の効果】
【００１０】
本発明は、携帯通信端末において算出した降水可能性に基づいて降水を事前に予測して、アラームメールで携帯電話端末ユーザに注意を喚起することができる。
【図面の簡単な説明】
【００１１】
【図１】本発明の実施形態に係る降水アラーム配信システムの構成例を示す図である。
【図２】本発明の降水アラーム配信システムで用いられる携帯通信端末の構成例を示す図である。
【図３】本発明の降水アラーム配信システムで用いられる降水予測集計サーバの構成例を示す図である。
【図４】本発明の降水アラーム配信システムの動作を説明するシーケンス図である。
【発明を実施するための形態】
【００１２】
本発明の実施の形態について図面を参照して説明する。図１は、本発明の実施形態に係る降水アラーム配信システムの構成例を示す図である。図１に示す降水アラーム配信システムは、ＧＰＳ（GPS Global Positioning System）衛星２０と、所定地域にあって、ＧＰＳ衛星２０から送信されるＧＰＳ信号の大気遅延現象を利用して降水可能性を算出する複数の携帯電話端末１０と、携帯電話端末１０から通知される降水可能性通知を位置情報とともに携帯無線基地局３０を介して集計する降水予測集計サーバ４０と、降水予測集計サーバ４０からの要求に応じて所定地域に在圏する携帯電話端末１０にアラームメールを配信するメールサーバ５０からなる。
無線通信基地局３０と、降水予測集計サーバ４０と、メールサーバ５０は、それぞれ通信ネットワーク６０を介して接続されている。
なお、携帯電話端末１０は、通話機能を有しないデータ通信用の端末であってもよい。
【００１３】
図２は、本発明の降水アラーム配信システムで用いられる携帯電話端末の構成例を示す図である。携帯電話端末１０は、無線通信部１１と、ＧＰＳ受信部１２と、可降水量算出部１３と、降水可能性算出部１４と、記憶部１５と、気圧センサ１６と、温度センサ１７を備えている。可降水量算出部１３と降水可能性算出部１４は、携帯電話端末１０の制御部として機能する。
【００１４】
無線通信部１１は、携帯無線基地局３０と無線通信を行う。ＧＰＳ受信部１２は、ＧＰＳ衛星２０からＧＰＳ信号を受信する。記憶部１５は、降水量統計データ、降水確率統計データ等の各種データを格納する。
【００１５】
可降水量算出部１３は、ＧＰＳ受信部１２でＧＰＳ信号を受信する毎に、ＧＰＳ信号の受信データとＧＰＳ衛星２０の軌道情報から天頂全遅延推定値（ＺＴＤ：Zenith Total Delay）を算出し、天頂全遅延推定値（ＺＴＤ）が所定値以上となったときに、気圧センサ１６で得られた気圧データを用いて静水圧遅延量を算出し、天頂全遅延推定値（ＺＴＤ）から静水圧遅延量を減算して湿潤遅延量を算出し、湿潤遅延量と温度センサ１７で得られた温度データとからＧＰＳ可降水量（GPS-PrecipitableWater Vapor）を算出する。
【００１６】
降水可能性算出部１４は、記憶部１５に記憶されている降水量統計データと降水確率統計データを参照して、ＧＰＳ可降水量から降水可能性（降水確率）を算出し、算出した降水可能性が所定値以上であった場合に、その結果を、無線通信部１１から携帯無線基地局３０を介して、自端末の位置情報とともに降水予測集計サーバ４０へ通知する。
【００１７】
図３は、本発明の降水アラーム配信システムで用いられる降水予測集計サーバの構成例を示す図である。降水予測集計サーバ４０は、降水可能性通知集計部４１と、降水予測判定部４２と、アラームメール要求部４３を備えている。降水可能性通知集計部４１と降水予測判定部４２とアラームメール要求部４３は、降水予測集計サーバ４０の制御部として機能する。
【００１８】
降水可能性通知集計部４１は、降水可能性の通知を受けたならば、所定期間（例えば、降水可能性の通知の１〜３時間前の期間）における、所定地域毎の降水可能性の通知の数を集計する。なお、所定地域は、ゲリラ豪雨のような局地的な集中豪雨予測にも対応するため、１０ｋｍ四方以下が望ましい。所定地域は、例えば、携帯無線基地局３０の通信圏内としても良い。
【００１９】
降水予測判定部４２は、降水可能性の通知の数が所定数（例えば、１００）以上である所定地域があれば、その所定地域を降水可能性が大きいと判定する。
【００２０】
アラームメール要求部４３は、降水予測判定部４２が、降水可能性が大きいと判定した前記所定地域に在圏する全携帯電話端末１０へ、事前に注意を喚起するためにアラームメールを送信するようメールサーバ５０へ要求する。
【００２１】
図４は、本発明の降水アラーム配信システムの動作を説明するシーケンス図である。携帯電話端末１０は、ＧＰＳ衛星２０からＧＰＳ信号を受信すると（Ｓ１０１）、天頂全遅延推定値（ＺＴＤ）が所定値以上となったときに、ＧＰＳ可降水量を算出し（Ｓ１０２）、さらに、ＧＰＳ可降水量から降水可能性（降水確率）を算出し（Ｓ１０３）、算出した降水可能性が所定値以上であるか否かを判定し（Ｓ１０４）、降水可能性が所定値以上であった場合に、その降水可能性を、自端末の位置情報とともに降水予測集計サーバ４０へ通知する（Ｓ１０５）。
【００２２】
降水予測集計サーバ４０は、所定期間において、所定地域毎に、降水可能性の通知の数を集計し（Ｓ１０６）、降水可能性の通知の数が所定数以上の所定地域があれば、その所定地域を降水可能性が大きいと判定し（Ｓ１０７）、降水可能性が大きいと判定された前記所定地域に在圏する全携帯電話端末１０へアラームメールを送信するようメールサーバ５０へ要求する（Ｓ１０８）。
【００２３】
メールサーバ５０は、降水予測集計サーバ４０からの要求に応じて所定地域に在圏する全携帯電話端末１０にアラームメールを配信する（Ｓ１０９）。
【００２４】
なお、メールサーバ５０は、降水予測集計サーバ４０からの要求に応じて、所定地域に在圏する全携帯電話端末のうち、降水可能性の通知を行った携帯電話端末にアラームメールを配信するようにしても良い。
また、メールサーバ５０は、降水予測集計サーバ４０からの要求に応じて、所定地域に在圏する全携帯電話端末のうち、降水可能性（降水確率）が高い携帯電話端末に優先的にアラームメールを配信するようにしても良い。
【００２５】
上述のように、本発明は、各携帯電話端末からのきめ細やかな通知を適時収集し、局地的集中豪雨にも対応した降水の事前予測を行うことができる。また、本発明は、予測情報を対象エリアに在圏する全携帯電話端末へ事前に配信して、端末ユーザに注意を喚起することができる。
【符号の説明】
【００２６】
１０  携帯電話端末
１１  無線通信部
１２  ＧＰＳ受信部
１３  可降水量算出部
１４  降水可能性算出部
１５  記憶部
１６  気圧センサ
１７  温度センサ
２０  ＧＰＳ衛星
３０  無線通信基地局
４０  降水予測集計サーバ
４１  降水可能性通知集計部
４２  降水予測判定部
４３  アラームメール要求部
５０  メールサーバ
６０  通信ネットワーク
【図１】
2012028872.tif 000003
【図２】
2012028872.tif 000004
【図３】
2012028872.tif 000005
【図４】
2012028872.tif 000006